(57)【要約】【課題】製造コストを低減するとともに、ノイズの影響を抑制する液晶表示装置を提供することができる。【解決手段】複数の表示画素からなる表示部を含む表示パネルと、前記表示パネルに接続手段を介して接続された回路基板と、を備え、前記回路基板は、絶縁層を介して配置された複数の導電層と、外部アース手段と接続する接地部と、を備え、前記複数の導電層は、前記接地部において前記外部アース手段によって接地された表層と、前記絶縁層に設けられたスルーホールを介して前記表層と電気的に接続された少なくとも１つの導電層と、前記絶縁層に設けられたスルーホールを介して前記導電層と電気的に接続されたグランド層と、を備える表示装置。【選択図】    図２
2010072576.tif 000002
【特許請求の範囲】
【請求項１】
複数の表示画素からなる表示部を含む表示パネルと、
前記表示パネルに接続手段を介して接続された回路基板と、を備え、
前記回路基板は、絶縁層を介して配置された複数の導電層と、外部アース手段と接続される接地部と、を備え、
前記複数の導電層は、前記接地部において前記外部アース手段によって接地された表層と、
前記絶縁層に設けられたスルーホールを介して前記表層と電気的に接続された少なくとも１つの導電層と、
前記絶縁層に設けられたスルーホールを介して前記導電層と電気的に接続されたグランド層と、を備える表示装置。
【請求項２】
前記スルーホールは、前記回路基板の厚さ方向に、前記絶縁層および複数の導電層を貫通するように配置された請求項１記載の表示装置。
【請求項３】
前記スルーホールは、前記回路基板の内部に配置された請求項１記載の表示装置。
【請求項４】
複数の表示画素からなる表示部を含む表示パネルと、
前記表示パネルに接続手段を介して接続された回路基板と、を備え、
前記回路基板は、絶縁層を介して配置された複数の導電層と、外部アース手段と接続する接地部と、を備え、
前記複数の導電層は、前記接地部において前記外部アース手段によって接地された表層と、
前記表層と細配線によって電気的に接続されたグランド層と、を備える表示装置。
【請求項５】
前記細配線の幅は、略５０μｍ以上略１ｍｍ以下である請求項４記載の表示装置。
【請求項６】
前記細配線は、前記表層と前記グランド層との間を蛇行するように配置された請求項４記載または請求項５記載の表示装置。
【発明の詳細な説明】
【技術分野】
【０００１】
この発明は、表示装置に関し、特に、アクティブマトリクス型の表示装置に関する。
【背景技術】
【０００２】
表示装置として、例えば液晶表示装置は、複数の表示画素からなる表示部を備えた液晶表示パネル、および、この液晶表示パネルにフレキシブル基板等の接続手段を介して接続された回路基板を有している。
【０００３】
この回路基板は、例えばＰＣＢ（Printed Circuit Board）であって、絶縁層を介して配置された複数の導電層を有している。この複数の導電層によって、回路基板のグランド層や電源層、その他各種配線が形成されている。
【０００４】
従来、プリント回路基板のグランド層および電源層で生じる不要輻射の電磁波を低減させるために、グランド層と電源層との少なくとも一方の内層を挟んで一方側から他方側に交互にバスラインが入れ替わって配置されたプリント回路基板が提案されている（特許文献１参照）。
【特許文献１】特開２００２−２５２４３４号公報
【発明の開示】
【発明が解決しようとする課題】
【０００５】
回路基板は、例えば回路基板の角部に配置された接地部を有している。接地部では、複数の導電層に含まれるグランド層と外部アースとが接続される。回路基板のグランド層と外部アースとは、回路基板を外部ケース等に固定するためのビス等により接続される場合がある。この場合、外部ケースからグランド層に静電気や電磁波等のノイズが侵入することがあった。
【０００６】
そのため、接地部とグランド層とを抵抗等で接続し、ノイズの侵入を抑制することがあるが、抵抗等の部品を用いると、部品の費用や部品を実装する費用が必要となり、製造コストを低減することが難しかった。
【０００７】
本発明は、上記事情に鑑みて成されたものであって、製造コストを低減するとともに、ノイズの影響を抑制する液晶表示装置を提供することを目的とする。
【課題を解決するための手段】
【０００８】
本発明の一態様による表示装置は、複数の表示画素からなる表示部を含む表示パネルと、前記表示パネルに接続手段を介して接続された回路基板と、を備え、前記回路基板は、絶縁層を介して配置された複数の導電層と、外部アース手段と接続される接地部と、を備え、前記複数の導電層は、前記接地部において前記外部アース手段によって接地された表層と、前記絶縁層に設けられたスルーホールを介して前記表層と電気的に接続された少なくとも１つの導電層と、前記絶縁層に設けられたスルーホールを介して前記導電層と電気的に接続されたグランド層と、を備える。
【発明の効果】
【０００９】
この発明によれば、製造コストを低減するとともに、ノイズの影響を抑制する液晶表示装置を提供することができる。
【発明を実施するための最良の形態】
【００１０】
以下、本発明の第１実施形態に係る表示装置およびその表示装置に用いられる回路基板について、図面を参照して説明する。図１は、本発明の一実施形態に係る液晶表示装置１００を概略的に示す分解斜視図である。図１に示すように、液晶表示装置１００は、略矩形状の液晶表示パネル１０、液晶表示パネル１０を裏面から照明する面光源装置３０、液晶表示パネル１０と面光源装置３０とを支持するフレーム４０、およびフレーム４０に取り付けられて液晶表示パネル１０の周縁部を保持するベゼルカバー２０を備えている。
【００１１】
液晶表示パネル１０は、対向配置されたアレイ基板１１と対向基板１３とを備えている。アレイ基板１１と対向基板１３との間には液晶層が挟持され、アレイ基板１１と対向基板１３との外側にはそれぞれ偏光板（図示せず）が配置されている。
【００１２】
液晶表示パネル１０は、画像を表示させる表示領域に相当する表示部１２を有している。アレイ基板１１は、表示部１２において、表示画素ＰＸ毎に配置された画素電極（図示せず）、画素ＰＸの行方向に沿って延在する複数の走査線Ｓｃ、画素ＰＸの列方向に沿って延在する複数の信号線Ｓｇ、およびこれら走査線Ｓｃと信号線Ｓｇとの交差部付近において画素ＰＸ毎に配置されたスイッチング素子Ｓｗ等を備えている。
【００１３】
スイッチング素子Ｓｗは、例えばポリシリコン半導体層（図示せず）を有した薄膜トランジスタ（ＴＦＴ）によって構成されている。スイッチング素子Ｓｗのゲート電極は対応する走査線Ｓｃに接続されている。スイッチング素子Ｓｗのソース−ドレインパスは、対応する信号線Ｓｇと画素電極との間を接続する。
【００１４】
対向基板１３は、液晶層を介して複数の画素電極と対向するように配置された対向電極（図示せず）を有している。対向電極は図示しない対向電極駆動回路によって駆動され、対向電極には所定の対向電圧が印加される。
【００１５】
走査線Ｓｃは、図示しない走査線駆動回路によって順次駆動され、走査線Ｓｃにはスイッチング素子Ｓｗをオン又はオフするための走査信号が供給される。信号線Ｓｇは、図示しない信号線駆動回路によって駆動され、信号線Ｓｇには所定の映像信号が供給される。
【００１６】
アレイ基板１１および対向基板１３は、全表示画素ＰＸの画素電極２２と対向電極３１とを対向させた状態で配置され、これらの間にギャップを形成する。液晶層は、アレイ基板１１と対向基板１３とのギャップに封止された液晶組成物によって形成されている。
【００１７】
所定の走査線Ｓｃにスイッチング素子Ｓｗをオンするための走査信号が供給されると、所定の走査線Ｓｃにゲート電極が接続されたスイッチング素子Ｓｗのソース−ドレインパスが導通し、所定の信号線Ｓｇから画素電極へと映像信号が印加される。画素電極に印加された映像信号と、対向電極に印加された対向電圧との電位差によって、液晶層に含まれる液晶分子の配向状態が制御される。
【００１８】
液晶表示パネル１０に表示画素ＰＸを駆動する駆動信号を供給する矩形平板状の回路基板１４は、矩形略平板状のフレキシブル基板１６を介して、液晶表示パネル１０の一側縁に電気的に接続されている。
【００１９】
回路基板１４は、グランド構造の一部として、例えば基板の角部に配置された接地部１４ｂを有している。図２に示すように、回路基板１４は、絶縁層を介して配置された複数の導電層を有している。図２に示す場合では、絶縁層を介して４層に導電層が配置されている。
【００２０】
接地部１４ｂは、回路基板１４を外部フレーム（図示せず）に固定するためのねじ穴ＨＬを有している。接地部１４ｂは、ねじ穴ＨＬに挿入されるねじによって外部フレームと電気的に接続されてアース電圧を得る。
【００２１】
図２に示すように、回路基板１４のねじ穴ＨＬが配置された表層ＬＡは、複数の他の導電層Ｌ１、Ｌ２およびスルーホールＴＨＬ１乃至ＴＨＬ４を介してグランド層Ｌ３乃至Ｌ６と電気的に接続されている。
【００２２】
表層ＬＡの同層には、グランド層Ｌ４が配置されている。表層ＬＡの下層には絶縁層を介して導電層Ｌ１が配置されている。導電層Ｌ１の同層であってグランド層Ｌ４の下層にはグランド層Ｌ５が配置されている。
【００２３】
導電層Ｌ２の下層には、絶縁層を介して導電層Ｌ２が配置されている。導電層Ｌ２の同層であってグランド層Ｌ５の下層には、グランド層Ｌ６が配置されている。導電層Ｌ２およびグランド層Ｌ６の下層には、絶縁層を介してグランド層Ｌ３が配置されている。
【００２４】
表層ＬＡは、絶縁層に設けられたスルーホールＴＨＬ１を介して、下層に配置された導電層Ｌ１と電気的に接続されている。さらに、導電層Ｌ１は、絶縁層に設けられたスルーホールＴＨＬ２を介して、下層に配置された導電層Ｌ２と電気的に接続されている。導電層Ｌ２は、絶縁層に設けられたスルーホールＴＨＬ３を介して、下層に配置されたグランド層Ｌ３と電気的に接続されている。
【００２５】
グランド層Ｌ３は、グランド層Ｌ３とグランド層Ｌ４との間に配置された絶縁層、グランド層Ｌ５、および、グランド層Ｌ６を貫通するスルーホールＴＨＬ４を介して、グランド層Ｌ４乃至グランド層Ｌ６と電気的に接続されている。
【００２６】
上記のように、表層ＬＡとグランド層Ｌ３乃至グランド層Ｌ６とを直接接続せずに、表層ＬＡとグランド層Ｌ３乃至グランド層Ｌ６とを他の導電層Ｌ１、Ｌ２およびスルーホールＴＨＬ１乃至ＴＨＬ４を介して接続することによって、表層ＬＡと、グランド層Ｌ３乃至Ｌ６との間にインピーダンス成分［Ω］を生じさせることができる。
【００２７】
このインピーダンス成分の大きさは、表層ＬＡと、グランド層ＬＡ乃至グランド層Ｌ６との間に介在する他の導電層の材料、大きさ、数、およびスルーホールの大きさ（径）、高さ（厚さ方向Ｄにおける幅）、位置、数等によって調整することが可能である。
【００２８】
上記のように、表層ＬＡとグランド層Ｌ３乃至グランド層Ｌ６との間に、インピーダンス成分を生じさせることによって、抵抗器等の部品を用いることなく、グランド層Ｌ３乃至グランド層Ｌ６に到達する前に、表層ＬＡから侵入した静電気や電磁波等のノイズを減衰させることができる。
【００２９】
したがって、本実施形態に係る液晶表示装置によれば、部品数を減らすことができ、製造コストを低減するとともに、ノイズの影響を抑制する液晶表示装置を提供することができる。
【００３０】
なお、図２に示す回路基板１４の接地部１４ｂの構成は一例に過ぎない。例えば、図３に示すように、複数の導電層を、回路基板１４の厚さ方向Ｄに貫通するように配置されたスルーホールを介して電気的に接続し、表層ＬＡとグランド層とを電気的に接続するようにしてもよい。
【００３１】
図３に示す場合では、表層ＬＡの同層にはグランド層Ｌ９が配置されている。表層ＬＡの下層には絶縁層を介して導電層Ｌ７が配置されている。導電層Ｌ７の同層であって、グランド層Ｌ９の下層にはグランド層Ｌ１０が配置されている。
【００３２】
導電層Ｌ７の下層には絶縁層を介して導電層Ｌ８が配置されている。導電層Ｌ８の同層であって、グランド層Ｌ１０の下層にはグランド層Ｌ１１が配置されている。導電層Ｌ８およびグランド層Ｌ１１の下層には、絶縁層を介してグランド層Ｌ１２が配置されている。
【００３３】
表層ＬＡと、導電層Ｌ７とは、表層ＬＡの下層において、絶縁層および導電層Ｌ７を貫通するように設けられたスルーホールＴＨＬ５を介して電気的に接続されている。導電層Ｌ７は、導電層Ｌ７、導電層Ｌ８および絶縁層を厚さ方向Ｄに貫通するように設けられたスルーホールＴＨＬ８を介して導電層Ｌ８と電気的に接続されている。
【００３４】
導電層Ｌ８は、導電層Ｌ８、グランド層Ｌ１２、および絶縁層を厚さ方向Ｄに貫通するように設けられたスルーホールＴＨＬ７を介して、グランド層Ｌ１２と電気的に接続されている。グランド層Ｌ１２は、グランド層Ｌ９乃至グランド層Ｌ１２、および絶縁層を貫通するスルーホールＴＨＬ８を介して、グランド層Ｌ９乃至グランド層Ｌ１１と電気的に接続されている。
【００３５】
このように、複数の導電層および絶縁層を方向Ｄに貫通するスルーホールを介して、表層ＬＡとグランド層とを電気的に接続した場合であっても、図２に示す場合と同様に、表層ＬＡとグランド層Ｌ９乃至グランド層Ｌ１２との間に、インピーダンス成分を生じさせることによって、抵抗器等の部品を用いることなく、グランド層Ｌ９乃至グランド層Ｌ１２に到達する前に、表層ＬＡから侵入した静電気や電磁波等のノイズを減衰させることができる。
【００３６】
したがって、本実施形態に係る液晶表示装置によれば、部品数を減らすことができ、製造コストを低減するとともに、ノイズの影響を抑制する液晶表示装置を提供することができる。
【００３７】
なお、図２に示すように、複数の導電層が、回路基板１４の内部に配置されたスルーホール（ＩＶＨ：Inner Via Hole）を介して接続されている。すなわち、図２に示す場合では、スルーホールＴＨＬ１乃至ＴＨＬ３は回路基板を貫通せず、表層ＬＡ、導電層Ｌ１、Ｌ２、およびグランド層Ｌ３のそれぞれの間に配置された絶縁層に設けられている。
【００３８】
このように、回路基板１４の内部に配置されたスルーホールを介して表層ＬＡとグランド層Ｌ３乃至Ｌ６を電気的に接続することによって、回路基板１４の最上層にスルーホールを配置するためのスペースを確保する必要がなくなる。そのため、回路基板１４上に搭載する部品の配置レイアウトの自由度を増大させることができる。
【００３９】
したがって、図２に示すように回路基板１４の内部のスルーホールによって表層ＬＡとグランド層とを電気的に接続させることによって、さらに、回路基板１４の小型化を容易にすることが可能となる。
【００４０】
次に、本発明の第２実施形態に係る液晶表示装置について図面を参照して以下に説明する。なお、以下の説明において、上述の第１実施形態に係る液晶表示装置と同様の構成については、同一の符号を付して説明を省略する。
【００４１】
本実施形態に係る液晶表示装置は、上述の第１実施形態に係る液晶表示装置１００と同様に、略矩形状の液晶表示パネル１０、液晶表示パネル１０を裏面から照明する面光源装置３０、液晶表示パネル１０と面光源装置３０とを支持するフレーム４０、およびフレーム４０に取り付けられて液晶表示パネル１０の周縁部を保持するベゼルカバー２０を備えている。
【００４２】
液晶表示パネル１０に表示画素ＰＸを駆動する駆動信号を供給する矩形平板状の回路基板１４は、矩形略平板状のフレキシブル基板１６を介して、液晶表示パネル１０の一側縁に電気的に接続されている。
【００４３】
回路基板１４は、グランド構造の一部として、例えば基板の角部に配置された接地部１４ｂを有している。図２に示すように、回路基板１４は、絶縁層を介して配置された複数の導電層を有している。図２に示す場合では、絶縁層を介して４層に導電層が配置されている。
【００４４】
接地部１４ｂは、回路基板１４を外部フレーム（図示せず）に固定するためのねじ穴ＨＬを有している。接地部１４ｂは、ねじ穴ＨＬに挿入されるねじによって外部フレームと電気的に接続されてアース電圧を得る。
【００４５】
本実施形態に係る液晶表示装置では、図４に示すように、ねじ穴ＨＬが設けられた表層ＬＡは、グランド層Ｌ１３と細配線Ｗによって電気的に接続されている。この細配線Ｗは、表層ＬＡとグランド層Ｌ１３との間において、蛇行するように配置されている。
【００４６】
このように表層ＬＡとグランド層Ｌ１３とを細配線Ｗで接続することによって、表層ＬＡとグランド層Ｌ１３との間にインピーダンス成分を生じさせることができる。なお、インピーダンス成分を生じさせるためには、細配線Ｗの幅ＤＷは、略５０μｍ以上、略１ｍｍ以下であることが望ましい。
【００４７】
表層ＬＡとグランド層Ｌ１３との間のインピーダンス成分の大きさは、細配線Ｗの幅ＤＷ、および、細配線Ｗの長さ等を調整することによって設計可能である。なお、細配線Ｗの長さとは、表層ＬＡと細配線Ｗが接続された部分からグランド層Ｌ１３と細配線Ｗとが接続された部分までの、細配線Ｗに沿った経路の長さである。
【００４８】
このように、表層ＬＡとグランド層Ｌ１３とを細配線Ｗによって電気的に接続して、表層ＬＡとグランド層Ｌ１３との間にインピーダンス成分を生じさせることによって、抵抗器等の部品を用いることなく、グランド層Ｌ１３に到達する前に、表層ＬＡから侵入した静電気や電磁波等のノイズを減衰させることができる。
【００４９】
したがって、本実施形態に係る液晶表示装置によれば、部品数を減らすことができ、製造コストを低減するとともに、ノイズの影響を抑制する液晶表示装置を提供することができる。
【００５０】
なお、この発明は、上記実施形態そのままに限定されるものではなく、実施段階ではその要旨を逸脱しない範囲で構成要素を変形して具体化できる。例えば、上記の実施形態では表示装置として液晶表示装置について説明したが、本発明は、回路基板を搭載する表示装置であれば液晶表示装置に限らず適用可能である。
【００５１】
また、図１に示す液晶表示装置の回路基板１４には、１つの角部に接地部１４ｂが配置されているが、回路基板１４に複数の接地部１４ｂが配置されてもよく、例えば回路基板１４の４つの角の近傍にそれぞれ１つの設置部１４ｂが配置されてもよい。
【００５２】
また、図２および図３に示す場合では、表層ＬＡとグランド層との間には、スルーホールを介して電気的に接続された複数の導電層が介在していたが、表層ＬＡとグランド層との間には、少なくとも１つの導電層が介在すればよい。この導電層の材料や大きさ等を調整することによって、表層ＬＡとグランド層との間に所望の値のインピーダンスを生じさせることができる。
【００５３】
また、上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合わせてもよい。
【００５４】
例えば、第１実施形態と第２実施形態とを組み合わせてもよい。すなわち、スルーホールを介して表層と接続された導電層と、この導電層の同層に配置されたグランド層とを細配線によって電気的に接続し、このグランド層と他のグランド層とをスルーホールを介して電気的に接続させてもよい。
【００５５】
このように、スルーホールによる接続と細配線による接続とを組み合わせて、表層とグランド層との間にインピーダンス成分を生じさせても上述の実施形態に係る表示装置と同様の効果を得ることができる。
【図面の簡単な説明】
【００５６】
【図１】本発明の一実施形態に係る液晶表示装置の一構成例を概略的に示す図。
【図２】図１に示す液晶表示装置の回路基板の接地部近傍の一構成例を説明するための断面図。
【図３】図１に示す液晶表示装置の回路基板の接地部近傍の他の構成例を説明するための断面図。
【図４】図１に示す液晶表示装置の回路基板の接地部近傍の他の構成例を説明するための図。
【符号の説明】
【００５７】
ＰＸ…表示画素、ＬＡ…表層、Ｌ１、Ｌ２…導電層、Ｌ３乃至Ｌ６…グランド層、Ｗ…細配線、ＴＨＬ（ＴＨＬ１乃至ＴＨＬ８）…スルーホール、１０…液晶表示パネル、１２…表示部、１４…回路基板、１４ｂ…接地部、１００…液晶表示装置
【図１】
2010072576.tif 000003
【図２】
2010072576.tif 000004
【図３】
2010072576.tif 000005
【図４】
2010072576.tif 000006